(57)【要約】【課題】  携帯性に優れると共に、香の発散、放出が良好に行える電気機器を提供することを目的とする。【解決手段】  本発明の香発散電気機器は、上下方向に延在する外ケースと１、該外ケース１内に収納される電池２と、該電池２の上側に配置され前記電池２からの電力により駆動する香発散機構１０とを備え、前記外ケース１の最上部に、前記香発散機構１０から発散される香を放出する開口部１ｈを有することを特徴とする。また、前記外ケース１は、その上部に、クリップ１ｃを備えることを特徴とする【選択図】  図１
2005211266.tif 000002
【特許請求の範囲】
【請求項１】
上下方向に延在する外ケースと、該外ケース内に収納される電池と、該電池の上側に配置され前記電池からの電力により駆動する香発散機構とを備え、
前記外ケースの最上部に、前記香発散機構から発散される香を放出する開口部を有することを特徴とする香発散電気機器。
【請求項２】
前記外ケースは、その上部に、クリップを備えることを特徴とする請求項１の香発散電気機器。
【請求項３】
前記香発散機構は、電気駆動部と、香デバイス部とを備え、前記電気駆動部の駆動により前記香デバイス部の香料を発散させることを特徴とする請求項１の香発散電気機器。
【請求項４】
前記電気駆動部は、駆動時に、ヒーターに通電させて加熱して前記香デバイス部の香料を発散させることを特徴とする請求項３の香発散電気機器。
【発明の詳細な説明】
【技術分野】
【０００１】
本発明は、香を発散させる香発散電気機器に関する。
【背景技術】
【０００２】
従来の香発散電気機器については、下記の特許文献に開示がある。この機器は、この公開公報の図４に示されるように、略箱型の外形形状を備え、内部に電池、これにより駆動されて、香水の微小な液滴を噴射する微小液滴噴射機構とを備えている。そして、香水の微小な液滴は、機器の側面に設置された噴射ノズルより、噴射される。
【特許文献１】特開２０００−１８９２４３号
【発明の開示】
【発明が解決しようとする課題】
【０００３】
しかしながら、このような香発散電気機器は、略箱型の外形形状であるので、身に付けて携帯したり、使用者の衣服のポケット等に入れて携帯するには、携帯性に劣るものであった。また、噴射口が機器の側面に設置されていることより、ポケット等に入れて噴射する場合は、噴射口がポケット内に位置することになることより、噴射した液滴がポケット内に留まることになる。
【０００４】
本発明は、上述のような問題点を解決するために成されたものであり、携帯性に優れると共に、香の発散、放出が良好に行える電気機器を提供することを目的とする。
【課題を解決するための手段】
【０００５】
本発明は、上下方向に延在する外ケースと、該外ケース内に収納される電池と、該電池の上側に配置され前記電池からの電力により駆動する香発散機構とを備え、前記香発散機構の最上部に、香を発散するための開口部を有することを特徴とする。
【０００６】
また、本発明においては、前記外ケースは、その上部に、クリップを備えることを特徴とする。
【発明の効果】
【０００７】
本発明は、電池の上側に、香発散機構を備えることより、横方向に大きくならず、上下方向に延在する外ケースを細くすることができるので、携帯性に優れたものであり、例えば、ボールペンと同じように、衣服のポケットに収納するなら、携行時に邪魔になることもなく、必要時簡単に使用することができる。更に、香を放出する開口部を、外ケースの最上部に備えているので、携行時に衣服のポケットに収納するなら、最上部の開口部より香が放出されることで、香がポケットの上部より放出され、ポケット内に留まることを低減できる。
【０００８】
更に、本発明は、外ケースの上部に、クリップを備えていることより、衣服のポケットに入れてクリップを利用して保持するのであれば、最上部の開口部が、ポケットより上側の外に位置することになるので、香の発散、放出を良好に行うことができる。
【発明を実施するための最良の形態】
【０００９】
本発明の実施例を、図１〜６を用いて、詳細に説明する。本実施例の香発散電気機器は、上下方向に延在する外ケース１と、外ケース１内に収納される略円筒状の充電式電池２と、電池２の上側に配置され、配線（図示せず）を介して電池２からの電力により駆動する香発散機構１０とを備えている。ここで、外ケース１は、底を備える略断面が円形の筒体であって、プラスチック材料からなる。また、外ケース１の断面は、円形以外の４角形であってもよい。
【００１０】
香発散機構１０は、海綿状或いは高分子吸収体等の基材に含浸させゲル状或いは固形状状とした４つの香料１１を保持する香デバイス部１２と、各々の香料１１に接触或いは近接することにより熱を加えて、香料１１の香を発散させる４つのヒーター１３を、電気駆動部として、備えている。更に、香発散機構１０は、各種電子部品を搭載したプリント基板２０を備え、このプリント基板２０上には、電池２の充放電を制御する充放電制御手段２１と、電池２の電力を制御してヒーター１３を加熱する熱量制御手段２２とを備えている。
【００１１】
香デバイス部１２は、外ケース１の最上部に位置する開口部１ｈより挿入して、外ケース１に保持される。そして、その断面の外形は略円形で、柱体の外形を有している。この香デバイス部１２は、その円柱体の中心軸と同軸とした断面が略円形の柱体の空洞部１２ｈを備え、この空洞部１２ｈは、香デバイス部１２を上下方向に貫通している。図３に開示されるように、香デバイス１２部の外周壁１２OUTと空洞部１２との間の空間に、この空間を４等分に区切る平面状の板体である４つの区画壁１２ｃが配置されて、これら区画壁１２ｃに区切られた空間に、香料１１が配置されている。図２、図３に開示されるように、空洞部１２ｈにおいて、香料１１が露出している。
【００１２】
図４は、ヒーター１３及びこれを保持する保持体１４の構造を示す斜視図であり、保持体１４は、下部の略円板状の土台部１４ｂが外ケース１と係止している。  保持体１４の外側には、４本の柱体１４OUTを有し、これら柱体１４OUTは上側で上部体１４UPにて連結されている。そして、上部体１４UPの中心には、上部体１４UPを上下方向に貫通する貫通穴１４ｈが設けられている。そして、保持体１４の各柱体１４OUTの間には、ニクロム線等からなる４つのヒーター１３が配置されている。各ヒーター１３は、一本線を上部でおり返した形状であって、上部のおり返し点を、上部体１４UPに設けられた穴１４UPHに挿入して保持されている。また、ヒーター１３の下部は、保持体１４の土台部１４ｂを貫通して、プリント基板２０に電気接続されている。このような保持体１４は、ヒーター１３と接触或いは近接するため、耐熱性を有するＰＥＥＫ（ポリエーテルエーテルケトン）、ガラス繊維入りのＰＢＴ（ポリブチレンテレフタレート）等の材料が利用される。
【００１３】
各ヒーター１３は、外側に少し湾曲した形状を有しており（図４参照）、香デバイス１１を機器に装着した状態においては、各ヒーター１３の湾曲した部分が、各香料１１の内側の露出部１１ｅを押圧している。
【００１４】
ヒーター１３が香料１１の内側の露出部１１ｅを押圧した状態で、通電して加熱すると、香料１１が熱せられ発散して上昇し（図２において香の発散の行路を矢印で示す）、保持体１４の穴１４ｈを通過して、最上部の開口部１ｈを通過して、外部に発散、放出される。また、長期に渡り使用するに従って、発散して露出部１１ｅの香料１１は減少するが、この場合でも、ヒーター１３が常に基材を押圧することになるので、香料１１が熱せられて発散することができる。香デバイス部１２は、外ケース１に着脱自在であるので、使用により香料１１がなくなれば、香デバイス部１２を新品に交換することにより、繰り返し使用できる。
【００１５】
次に、本実施例の電気回路構成を説明する。本実施例においては、充電式電池２は、電磁誘導を利用して充電されることになる。電池２下側の外ケース１内には、ボビンケースに巻回された２次巻線３を設置され、充電時においては、別途用意される商用ＡＣ電源を利用してクレードル４に構成された１次巻線４ａ（図５参照）により磁界を発生させて、２次巻線３側に誘導電流を発生させ、電池２の充電を行っている。そして、充放電制御手段２１においては、充電時に電池２の満充電を検出し充電を終了し、また、放電時には、電池２の過放電を検出して放電を終了させる制御を行っている。
【００１６】
外ケース１の外周には、条件設定手段２３として、香選択用の４つのスライドスイッチ３０（図１には１個のスライドスイッチを図示する）を有している。各スライドスイッチ３０は、各々、各香料１１に接触するヒーター１３に対応している。スライドスイッチ３０は、オンオフスイッチであって、オン時にのみ対応したヒーター１３が通電できるようになっている。このようなスライドスイッチ３０のオンオフによる条件設定により、所望の香料１１だけを発散させることで、好み、或いは、時と場所に応じた香を発散することができる。ここで、複数の香料１１を同時に発散させることで、香をブレンドすることもできる。例えば、４つの異なる香料１１として、ローズ、ベンジャミン、ペパーミント、レモンの香の原料を、利用することで、香をブレンドすることができる。
【００１７】
また、外ケース１の外周には、一つの駆動ボタン３１が設置されている。この駆動ボタン３１は、プッシュ式のスイッチであって、一回押圧すると、所定の時間の間、条件設定手段２３にて設定されたヒーター１３を通電し加熱することになる。また、追加の実施例として、駆動ボタン３１の一回押圧あたりのヒーター１３の通電時間或いはヒーター１３による発生熱量を調整する手段を設置しても良い。これにより、発散する香の量を、適宜、設定することができる。更には、追加の実施例として、外部雰囲気温度を測定する温度検出素子を設けて、温度検出素子の測定結果により、ヒーター１３の加熱熱量或いは通電時間を調節しても良い。これにより、例えば、外部雰囲気温度が低いときは、香料１１の温度も低いので、より多くの加熱熱量が必要となり、加熱熱量が多くなるように、熱量制御手段２２にて調整する。
【００１８】
ここで、前述クレードル４（図５参照）では本機器を充電するとともに、情報通信端子を有し、パーソナルコンピュータ等と接続することにより香調整、香残容量の確認などを行ってもよい。また、クレードル側に汎用情報通信端子を備えることができるので、本機器が大きくならず携帯性に優れたものとできる。
【００１９】
熱量制御手段２２においては、条件設定手段２３であるスライドスイッチ３０によって選択されたヒーターの情報が、マイコン２２Ｍに入力されて、選択されたヒーターに、駆動ボタン３１の押圧時、ＦＥＴ等のスイッチング素子２２Ｓのゲートにオン信号をマイコン２２Ｍより出力させて、スイッチング素子２２Ｓをオンとする。これにより、ヒーター１１が通電されることになる。
【００２０】
また、外ケース１の上部の側面には、クリップ１ｃが設けられているので、図６に示すように、衣服１００の胸ポケット等のポケット１０１に入れて、クリップ１ｃを利用して保持するなら、最上部の開口部１ｈがポケット１０１より上側の外に位置することになることより、開口部１ｈより、香を良好に発散、放出することができる。
【００２１】
なお、本実施例においては、電気駆動部として、ヒーターを備えているが、これに代わって、いわゆるインクジェットプリンタに利用されるように、香料を液体とし、その液流路の一部を押圧するか、加熱して気泡を発生させることで、ノズルから液体を噴射させるものにすることもできる。更に、本実施例は、電源として充電式電池２を利用しているが、これに代わって、一次電池を利用してもよい。
【図面の簡単な説明】
【００２２】
【図１】本発明の一実施例を示す縦断面図であり、香デバイス部１２を取外した状態を示す。図３のｂ−ｂ’線断面に相当する。
【図２】図１の上部の拡大断面図である。
【図３】本発明の一実施例の横断面図であり、図２のａ−ａ’線断面に相当する。
【図４】本発明の一実施例におけるヒーター１３及び保持体１４の斜視図である。
【図５】本発明の一実施例における電気回路構成を示すブロック図である。
【図６】本発明の一実施例の電気機器を、衣服のポケットに入れたときの概略斜視図である。
【符号の説明】
【００２３】
１  外ケース
１ｃ  クリップ
１ｈ  開口部
２  電池
１０  香発散機構
１１  香料
１２  香デバイス部
１３  ヒーター
【図１】
2005211266.tif 000003
【図２】
2005211266.tif 000004
【図３】
2005211266.tif 000005
【図４】
2005211266.tif 000006
【図５】
2005211266.tif 000007
【図６】
2005211266.tif 000008